(57)【要約】【課題】センター役物においてさらに大きな興趣を遊技者に与えることができるようにする。【解決手段】  センター役物２０は、ステージ部４６と、重力に基づいてステージ部４６へ遊技球を誘導する誘導路と、その誘導路を流下する遊技球の流下速度を減速させるとともに変位する減速変位部材とを有し、減速変位部材は表示部９８を有し、減速変位部材が作動していない状態において表示部９８が遊技者によって視認されない非視認位置に位置し、減速機構が作動している状態において表示部９８が遊技者によって視認される視認位置に位置する。【選択図】図３
2005312677.tif 000002
【特許請求の範囲】
【請求項１】
役物を有する弾球遊技機であって、
前記役物は、
ステージ部と、
重力に基づいて前記ステージ部へ遊技球を誘導する誘導路と、
前記誘導路を流下する遊技球の流下速度を減速させる減速機構と、
前記減速機構と連動して変位する変位部材と
を有し、
前記変位部材は表示部を有し、前記減速機構が作動していない状態において前記表示部が少なくとも遊技者によってほぼ視認されない非視認位置に位置し、前記減速機構が作動している状態において前記表示部が遊技者によって視認される視認位置に位置するものである、
弾球遊技機。
【請求項２】
請求項１に記載の弾球遊技機であって、
前記減速機構として機能するとともに前記変位部材としても機能する減速変位部材を有する、
弾球遊技機。
【請求項３】
請求項１又は請求項２に記載の弾球遊技機であって、
誘導路は、奥行方向における位置の異なる上流側誘導路と下流側誘導路とを有し、
前記減速機構によって遊技球の流下速度が減速される際に、その遊技球が前記上流側誘導路から前記下流側誘導路に移流するものである、
弾球遊技機。
【発明の詳細な説明】
【技術分野】
【０００１】
本発明は、パチンコ機等の弾球遊技機に関するものである。
【背景技術】
【０００２】
パチンコ機（弾球遊技機）は遊技盤を有しており、そのほぼ中央部にセンター役物が設けられている場合が多い。
センター役物の一例として、次のものがある。
そのセンター役物は、そのうちの下部にステージ部を有し、そのうちの左及び／又は右の側部に誘導路が設けられている。
そして、誘導路に流入したパチンコ球（遊技球）は、誘導路を流下（落下）し、ステージ部に流入し、ステージ部において種々のパターンで流動した後に、ステージ部（センター役物）から流出する。
【０００３】
ところで、従来のパチンコ機では、パチンコ球は、重力に基づいて誘導路を落下して、ステージ部に流入する。
このため、ステージ部（そのうちの誘導路の下流端部に対応する部分）には、落下してきたパチンコ球の衝撃が加わり、その部分が損傷するおそれもある。
【０００４】
そこで、特許文献１には、誘導路に関連して、誘導路内に突出する突出部材を有する可動体が軸支されたパチンコ機が開示されている。
そのパチンコ機では、誘導路内を落下するパチンコ球が突出部材に衝突することによって、そのパチンコ球の落下速度が減速され、ステージ部に加わる衝撃が緩和される。
また、そのパチンコ機では、可動体（各種のモチーフが施されている）は遊技者から視認可能に設けられており、上述のように突出部材に対してパチンコ球が衝突することによって、可動体が揺動するようにされている。
【０００５】
しかしながら、上記従来のパチンコ機では、常に可動体が視認可能であるために、突出部材に対してパチンコ球が衝突することによって揺動しても、それほどの大きな興趣を遊技者に対して与えることができない。
【特許文献１】特開平１５−２９０４７３公報
【発明の開示】
【発明が解決しようとする課題】
【０００６】
本発明は、誘導路を流下する遊技球の流下速度が減速されるとともに、役物においてさらに大きな興趣を遊技者に与えることができる弾球遊技機を提供することを目的とする。
【課題を解決するための手段】
【０００７】
上記の目的を達成するために、請求項１に係る発明は、役物を有する弾球遊技機であって、前記役物は、ステージ部と、重力に基づいて前記ステージ部へ遊技球を誘導する誘導路と、前記誘導路を流下する遊技球の流下速度を減速させる減速機構と、前記減速機構と連動して変位する変位部材とを有し、前記変位部材は表示部を有し、前記減速機構が作動していない状態において前記表示部が少なくとも遊技者によってほぼ視認されない非視認位置に位置し、前記減速機構が作動している状態において前記表示部が遊技者によって視認される視認位置に位置するものである、弾球遊技機である。
【０００８】
この発明の弾球遊技機では、重力に基づいて誘導路を流下する遊技球の流下速度が減速機構によって減速され、それによって、ステージ部に対して遊技球によって加えられる衝撃が緩和される。
そして、この発明の弾球遊技機では、上述のように誘導路を流下する遊技球の流下速度が減速機構によって減速される（減速機構が作動する）ことと連動して、通常（減速機構が作動していない状態）においては非視認位置に位置する変位部材の表示部が、視認位置に位置することになる。すなわち、それまで少なくとも遊技者によってほぼ視認されない状態にあった表示部が、遊技者によって視認される状態となる。
このため、遊技者は、遊技球が誘導路内を流下していることを明確に認識することが可能となり、それによって遊技者には大きな興趣が与えられる。
【０００９】
なお、「表示部」とは、所定の表示がなされた部分のことをいう。「所定の表示」としては、例えば、星等の各種の図形や、各種のキャラクタの図柄等があり得る。
また、「少なくとも遊技者によってほぼ視認されない非視認位置」には、遊技者によって全く視認されない態様に限らず、ほぼ視認されない（すなわち、ほとんど視認されない）態様も含まれる。
【００１０】
請求項２に係る発明は、請求項１に係る発明の弾球遊技機であって、前記減速機構として機能するとともに前記変位部材としても機能する減速変位部材を有する、弾球遊技機である。
【００１１】
すなわち、役物を有する弾球遊技機であって、前記役物は、ステージ部と、重力に基づいて前記ステージ部へ遊技球を誘導する誘導路と、前記誘導路を流下する遊技球の流下速度を減速させるとともに変位する減速変位部材とを有し、前記減速変位部材は表示部を有し、当該減速変位部材が作動していない状態において前記表示部が少なくとも遊技者によってほぼ視認されない非視認位置に位置し、前記減速機構が作動している状態において前記表示部が遊技者によって視認される視認位置に位置するものである、弾球遊技機である。
【００１２】
この発明の弾球遊技機では、請求項１に係る発明の弾球遊技機の作用及び効果に加えて、次の作用及び効果が得られる。
すなわち、この発明の弾球遊技機では、減速変位部材が減速機構として機能するとともに変位部材としても機能する。
このため、各々別の要素が配設される場合と比較して、装置全体が簡略化されることとなる。
【００１３】
請求項３に係る発明は、請求項１又は請求項２に係る発明の弾球遊技機であって、誘導路は、奥行方向における位置の異なる上流側誘導路と下流側誘導路とを有し、前記減速機構によって遊技球の流下速度が減速される際に、その遊技球が前記上流側誘導路から前記下流側誘導路に移流するものである、弾球遊技機である。
【００１４】
この発明の弾球遊技機では、請求項１又は請求項２に係る発明の弾球遊技機の作用及び効果に加えて、次の作用及び効果が得られる。
すなわち、この発明の弾球遊技機では、遊技球が減速機構によって減速される際に、上流側誘導路から下流側誘導路にその遊技球が移流し、奥行方向におけるその遊技球の位置が変位する。
このため、減速機構によって遊技球の流下速度が減速される際に、その減速機構を構成する要素であって誘導路内に位置するものが、遊技球が流下できる状態になるまでその誘導路から退避する必要がなく、その分、省スペースが図られる。
また、上流側誘導路と下流側誘導路とが奥行方向（弾球遊技機の奥行方向）に異なる位置に位置するものであるため、幅方向（弾球遊技機の幅方向）に異なる位置に位置する態様の場合と比較して、当該役物の大きさ（遊技者にとって認識される大きさ。すなわち、弾球遊技機の奥行方向と直角の２次元上の大きさ）が制限される（狭められる）ことが防止される。
【００１５】
なお、「奥行方向における位置の異なる上流側誘導路と下流側誘導路とを有し、」には、下流側誘導路が上流側誘導路よりも手前側に位置する場合と、下流側誘導路が上流側誘導路よりも奥側に位置する場合がある。
【発明の効果】
【００１６】
以上のように、本発明の弾球遊技機では、誘導路を流下する遊技球の流下速度が減速されることとと連動して、それまで少なくとも遊技者によってほぼ視認されない状態にあった表示部が遊技者によって視認される状態となり、それによって遊技者には大きな興趣が与えられる。
【発明を実施するための最良の形態】
【００１７】
次に、本発明の一実施形態について図面に基づいて説明する。
図１に示すように、このパチンコ機（弾球遊技機）はほぼ鉛直な遊技盤１０を有し、その下方には、ハンドル１２が設けられている。また、遊技盤１０の裏側には、賞球払い出し装置（図示省略）が設けられている。
【００１８】
遊技盤１０には、外側レール１３及び内側レール１４が設けられており、内側レール１４の内側が遊技領域（符号省略）とされ、外側レール１３と内側レール１４の間の部分が通路（符号省略）とされている。
そして、遊技者がハンドル１２を操作することによって発射されたパチンコ球は、その通路を通り、遊技領域へと導かれる。
【００１９】
遊技盤１０（遊技領域）には、多数の釘（図示省略）や風車１９が設けられているとともに、複数の普通入賞口１６が設けられている。普通入賞口１６にパチンコ球が入った場合には、例えば６又は１３個のパチンコ球が賞球として賞球払い出し装置から払い出される。
【００２０】
遊技盤１０のほぼ中央にはセンター役物２０が設けられている。センター役物２０の下方（真下）には始動入賞口１７が設けられ、その下方には大入賞口１８が設けられている。
【００２１】
センター役物２０には、表示部２２が設けられている。表示部２２は液晶等によって構成され、種々の図柄が表示される。
すなわち、始動入賞口１７にパチンコ球が入る（これを入賞という）と、表示部２２における図柄が所定の時間変動表示され、その後、最終的な図柄が静止表示される。静止表示された図柄には「当たり」と「はずれ」とがあり、「当たり」の場合（例えば「７７７」）には、大入賞口１８が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物２０が遊技者に与える特別な利益ということとする。
【００２２】
次に、図２〜図６Ｊに基づいて、センター役物２０について詳しく説明する。
図４に示すように、センター役物２０は、前側部材３０，裏側部材３５，上側部材４０，一対の誘導路形成部材群５０，ステージ部形成部材４５がビス（図示省略）によって結合されて形成されている。
センター役物２０は、左右に対称的な構造を有している。
【００２３】
前側部材３０及び裏側部材３５には開口部３１，３６が形成されている。前側部材３０の開口部３１は、裏側部材３５の開口部３６に対応した位置において、裏側部材３５の開口部３６よりも大きく形成されている。開口部３１，３６から表示部２２（図４等においては図示省略，図１及び図２参照）が視認される。
【００２４】
図４に示すように、各誘導路形成部材群５０は、誘導路形成裏側部材６０，誘導路形成中央部材７０，誘導路形成前側部材８０を有し、それらはビス（図示省略）によって結合されている。また、各誘導路形成部材群５０には、減速変位部材９０が設けられている。
図２〜図４に示すように、各誘導路形成部材群５０は、裏側部材３５のうちの開口部３６の左右方向の外側部分に固定されている。各誘導路形成部材群５０のうちの前側部分（誘導路形成前側部材８０の大半，誘導路形成中央部材７０の一部）は、前側部材３０の開口部３１を通して、遊技者が視認可能である。
上側部材４０は、前側部材３０及び裏側部材３５に対して固定されている。
【００２５】
図６Ａ（ｂ）に示すように、上側部材４０及び誘導路形成部材群５０（図４参照）（すなわち、誘導路形成裏側部材６０，誘導路形成中央部材７０，誘導路形成前側部材８０）によって、誘導路５５（上側誘導路５１，奥側誘導路５２，手前側誘導路５３）が形成されている。
図２〜図４及び図６Ａ（ｃ）に示すように、上側部材４０には誘導路入口部４１が形成されている。
遊技盤１０（図１）上を転動するパチンコ球Ｂは、誘導路入口部４１（図２〜図４）を通って、誘導路５５（上側誘導路５１）（図６Ａ（ｂ））内に流入する。
【００２６】
図３及び図４に示すように、ステージ部形成部材４５は、裏側部材３５のうちの開口部３６の下側部分に固定されており、前側部材３０よりも奥側（裏側）に位置している。
ステージ部形成部材４５によって、ステージ部４６が形成されている。ステージ部４６（そのうちの左右の各端部）は、誘導路５５（手前側誘導路５３）（図６Ａ（ｂ）参照）の下流側（下方）に位置している。逆にいうと、誘導路５５（上側誘導路５１，奥側誘導路５２，手前側誘導路５３）は、遊技盤１０（図１）上を転動するパチンコ球Ｂをステージ部４６（図２〜図４）に対して誘導するためのものである。ステージ部４６には、中央流出部４７及び落下部４８が形成されている。
【００２７】
図２〜図４に示すように、前側部材３０の開口部３１のうちの下側部分には手前側転動部３２が形成され、手前側転動部３２の中央部には流出部３３が形成されている。ステージ部４６上を種々のパターンで転動した後にステージ部４６から手前側転動部３２に移行したパチンコ球Ｂは、流出部３３を経て、センター役物２０から流出する。
パチンコ球Ｂがステージ部４６の中央流出部４７から手前側転動部３２に移行した場合は、そのパチンコ球Ｂは、流出部３３からほぼ真下に落下し、始動入賞口１７（図１参照）に入賞する可能性が高い。一方、パチンコ球Ｂがステージ部４６の落下部４８から手前側転動部３２に移行した場合は、そのパチンコ球Ｂは、流出部３３から斜め下方に落下し、始動入賞口１７に入賞する可能性は低い。
【００２８】
次に、誘導路形成部材群５０（図４）について詳述する。
図５に示すように、誘導路形成部材群５０は、誘導路形成裏側部材６０，誘導路形成中央部材７０，誘導路形成前側部材８０，減速変位部材９０を有している（このことは前述）。
【００２９】
誘導路形成裏側部材６０は、奥行方向に対してほぼ直角の面状をなすほぼ垂直の縦長の平板状をしている。誘導路形成裏側部材６０のほぼ中央高さ部分であって左右方向には開口部３６（図４参照）の側の部分（左右方向においてセンター役物２０としての中央部の側である。以下同様）には、回動用軸部６２が設けられている。回動用軸部６２は手前側に向かってほぼ水平に延びている。
【００３０】
減速変位部材９０は回動用孔部９２を有している。減速変位部材９０は、回動用孔部９２において、回動用軸部６２に対して回動可能に嵌合されている。
減速変位部材９０は、回動用孔部９２において回動用軸部６２に対して回動することによって、基本状態（図５中実線で示す。図３（ａ）も参照）と作用状態（図５中２点鎖線で示す。図３（ｂ），図６Ｇ，図６Ｈも参照）との間を変位可能である。
【００３１】
図５に示すように、誘導路形成中央部材７０は、誘導路形成裏側部材６０とほぼ平行な面状の基板部７１を有している。基板部７１のほぼ全周にわたって、その縁部には周脚部７２が形成されている。誘導路形成中央部材７０は、周脚部７２の先端部が誘導路形成裏側部材６０（そのおもて側の面）のほぼ全周にわたる縁部に当接した状態で、誘導路形成裏側部材６０に対して結合されている。
こうして、図６Ａ（ｂ）に示すように、誘導路形成裏側部材６０と誘導路形成中央部材７０の基板部７１との間に、奥側誘導路５２（本発明の上流側誘導路に該当する）が形成されている。
図５に示すように、誘導路形成中央部材７０のうちの開口部３６（図４参照）の側の縁部であって回動用軸部６２の近傍及びそれよりも下側の部分には、周脚部７２は形成されておらず、減速変位部材９０（そのうちの表示部９８（後に詳述））に対応して入出口７３が形成されている。
【００３２】
図５に示すように、誘導路形成中央部材７０の基板部７１のうちの上部には、流入孔部７５が形成されている。
図６Ａ（ｂ）に示すように、上側部材４０の誘導路入口部４１（図３，図６Ａ（ｃ）参照）と誘導路形成中央部材７０の流入孔部７５との間の部分の空間が、上側誘導路５１とされている。すなわち、図６Ｂ→図６Ｃに示すように、上側誘導路５１内のパチンコ球Ｂは、流入孔部７５を通って奥側誘導路５２内に流入するのである。
【００３３】
図５に示すように、誘導路形成中央部材７０の基板部７１のうちのほぼ中途高さ部分には、移流孔部７６が形成されている。すなわち、図６Ｇ→図６Ｈに示すように、奥側誘導路５２内のパチンコ球Ｂは、移流孔部７６を通って手前側誘導路５３（後に詳述）に移流するのである。
【００３４】
図５に示すように、誘導路形成中央部材７０の基板部７１のおもて面のうちの流入孔部７５の下部には、ほぼ水平の（正確には、手前側から奥側に向かうにつれて徐々に下方に向かうとともに、左右方向にはセンター役物２０としての外側から内側に向かうにつれて徐々に下方に向かう）板状の流入用転動部７８が設けられている。
【００３５】
流入孔部７５に関連して、流入用転動部７８には流入用案内部７９が設けられている。
また、誘導路形成前側部材８０のうちの略上半部は、落下防止部８２とされている。落下防止部８２は、誘導路形成中央部材７０のうちの略上半部であって左右方向には開口部３６（図４参照）の側の縁部に対応している。そして、落下防止部８２は、その幅方向においてはセンター役物２０としての奥行方向に（誘導路形成中央部材７０の前述の縁部から手前側に）延び、その長さ方向においては上下方向に延びる板状をしている。
【００３６】
こうして、図６Ａ→図６Ｂに示すように、上側部材４０の誘導路入口部４１（図２及び図３も参照）を通って上側誘導路５１内に流入したパチンコ球Ｂは、重力に基づいて流入用転動部７８に到る。そして、図６Ｂ→図６Ｃに示すように、そのパチンコ球Ｂは、流入用案内部７９によって案内されつつ、落下防止部８２によって落下することが防止されつつ、流入孔部７５を通って奥側誘導路５２に流入する。
【００３７】
図５に示すように、誘導路形成前側部材８０のうちの略下半部は、手前側誘導路形成部８４とされている。
手前側誘導路形成部８４は、その長さ方向においては、誘導路形成中央部材７０のうちの略下半部に対応して上下方向に延びている。
それとともに、手前側誘導路形成部８４は、その幅方向においては、その基端部では誘導路形成中央部材７０のうちの略下半部における開口部３６（図４参照）の側の縁部から手前側に向かい、その先端部では誘導路形成中央部材７０の基板部７１よりも手前側の位置においてセンター役物２０としての左右の各側（開口部３６（図４参照）から遠ざかる方向）に向かい、その間の部分では両者をつなぐようにほぼなめらかに湾曲している。
こうして、図６Ａ（ｂ）に示すように、誘導路形成前側部材８０のうちの手前側誘導路形成部８４と誘導路形成中央部材７０の基板部７１との間に、手前側誘導路５３（本発明の下流側誘導路に該当する）が形成されていている。
【００３８】
図６Ａ（ｂ）に示すように、上側誘導路５１、奥側誘導路５２及び手前側誘導路５３によって誘導路５５が形成されている。誘導路５５（上側誘導路５１，奥側誘導路５２，手前側誘導路５３）は、パチンコ球Ｂが円滑に流下できる程度の開口断面を有している。
【００３９】
図５に示すように、減速変位部材９０は、回動用孔部９２をはさんで、球受け部９４及び移流案内部９５と表示部９８とを有している。減速変位部材９０が、本発明の減速機構に該当するとともに、本発明の変位部材にも該当する。
前述したように、減速変位部材９０は、基本状態（図５中実線で示す）と作用状態（図５中２点鎖線で示す）との間を回動変位可能である。
基本状態とは、球受け部９４及び移流案内部９５が上方に位置し、表示部９８が下方に位置する状態である。作用状態とは、球受け部９４及び移流案内部９５が下降して表示部９８が上昇して、球受け部９４及び移流案内部９５と表示部９８とがほぼ同一の高さ位置に位置する状態である。
【００４０】
表示部９８は、センター役物２０（弾球遊技機）の奥行方向とほぼ直角のほぼ長方形状の厚肉板状に形成されている。表示部９８のおもて面（手前側の面）には、特別な表示がされている（この実施形態では、一例として星の図形が表示されている）。
【００４１】
表示部９８は、球受け部９４及び移流案内部９５と比較して十分に大きな重量を有している。このため、図２，図３（ａ），図５（そのうちの実線）に示すように、減速変位部材９０は、通常は、重力に基づいて、基本状態にある。
一方、図３（ｂ），図５（そのうちの２点鎖線），図６Ｅ→図６Ｆ→図６Ｇ・図６Ｈに示すように、球受け部９４にパチンコ球Ｂが流入して球受け部９４によってパチンコ球Ｂが受容された状態で、パチンコ球Ｂの重量に基づいて、減速変位部材９０は回動して作用状態となる。
表示部９８と球受け部９４及び移流案内部９５とは、そのような重量関係とされている。
なお、この「基本状態」が、本発明における「減速機構（減速変位部材）が作動していない状態」に該当し、この「作用状態」等が、本発明における「減速機構（減速変位部材）が作動している状態」に該当する。
【００４２】
図５に戻り、誘導路形成中央部材７０の基板部７１の裏側には、奥側に向かって突出するストッパ（図示省略）が形成されている。減速変位部材９０が基本状態にある際に表示部９８がストッパに当接し、作用状態の側とは反対側の方向にそれ以上回動することが防止されている。
こうして、前述した重量関係によって、通常は減速変位部材９０が基本状態に維持される。
【００４３】
図５に示すように、球受け部９４は円弧面状の板状をしている。
図６Ａ〜図６Ｊに示すように、基本状態〜作用状態のいずれの状態においても、球受け部９４は、奥側誘導路５２（すなわち、誘導路形成裏側部材６０と誘導路形成中央部材７０の基板部７１との間の空間）に位置している。
球受け部９４（その上面）は、基本状態〜作用状態のいずれの状態においても、上方成分を有する方向に向いて凹状に湾曲している。このため、球受け部９４は、パチンコ球Ｂを受容することが可能である。
また、球受け部９４（その上面）は、減速変位部材９０が少なくとも作用状態にある状態（図６Ｇ，図６Ｈ）において、奥側から手前側に向かうにつれて徐々に下方に向かうように傾斜している。
【００４４】
図５に示すように、移流案内部９５は、球受け部９４の先端部に形成されている。移流案内部９５は幅細の帯板状をなし、手前側に向かって延びている。
すなわち、図６Ａ（ａ）〜図６Ｊ（ａ）に示すように、移流案内部９５は移流孔部７６を通して手前側に延び、その先端部は、基本状態〜作用状態のいずれの状態においても、誘導路形成前側部材８０の手前側誘導路形成部８４の先端部（その幅方向における先端部）の近傍に位置している。
【００４５】
図６Ｇ及び図６Ｈに示すように、減速変位部材９０が作用状態にある状態において、移流案内部９５は、移流孔部７６の開口縁部のうちの下方の部分に当接する。こうして、減速変位部材９０が作用状態に維持される。
なお、球受け部９４のうちの手前側の部分（又は、球受け部９４のうちの手前側の部分及び移流案内部９５のうちの基端部）が移流孔部７６の開口縁部のうちの下方の部分に当接する構造であってもよい。
【００４６】
図６Ｇ及び図６Ｈに示すように、減速変位部材９０が作用状態にある状態において、移流案内部９５は、その長さ方向においては、奥側から手前側に向かって徐々に下方に向かうように傾斜している。また、移流案内部９５は、その幅方向においては、左右方向において開口部３６の側に向かうにつれて徐々に下方に向かうように傾斜している。
このため、図６Ｇ→図６Ｈに示すように、減速変位部材９０が作用状態にある状態において、球受け部９４上のパチンコ球Ｂは、球受け部９４上を手前側に転動し、その後は、移流案内部９５上を手前側に転動しつつ、移流案内部９５よりも開口部３６の側に落下し、手前側誘導路５３に移流する。
【００４７】
図５において実線で示すように、減速変位部材９０が基本状態にある状態において（図３（ａ）も参照）、表示部９８は、下降した位置にあり（このことは前述）、入出口７３を通して誘導路形成裏側部材６０と誘導路形成中央部材７０の基板部７１との間の空間に位置している。すなわち、基本状態における表示部９８のうちの開口部３６の側の縁部は、周脚部７２（そのうちの入出口７３の近傍の部分）と面一状となっている。
そして、その状態で、表示部９８（少なくともそのほとんどの部分）は、誘導路形成中央部材７０の基板部７１のうちの移流孔部７６よりも下側の部分に位置している。
また、その状態で、表示部９８（少なくともそのほとんどの部分）は、基板部７１をはさんで、誘導路形成前側部材８０（そのうちの手前側誘導路形成部８４）の裏側に位置している。
【００４８】
また、誘導路形成前側部材８０（そのうちの手前側誘導路形成部８４）及び／又は誘導路形成中央部材７０（そのうちの基板部７１のうちの移流孔部７６よりも下側の部分）は、透視性を有さない材質によって形成されている。
このため、図２，図３（ａ），図６Ａ〜図６Ｄ，図６Ｊに示すように、減速変位部材９０が基本状態にある状態では、表示部９８（少なくともそのほとんどの部分）は、誘導路形成前側部材８０（そのうちの手前側誘導路形成部８４）及び／又は誘導路形成中央部材７０（そのうちの基板部７１のうちの移流孔部７６よりも下側の部分）によって遮蔽され、遊技者によって視認されない。すなわち、表示部９８は、非視認位置に位置する。
【００４９】
図５において２点鎖線で示すように、減速変位部材９０が作用状態にある状態において（図３（ｂ）も参照）、表示部９８は、入出口７３を通して上昇し、開口部３６の側に向かってほぼ水平に延びている。
このため、図３（ｂ），図６Ｇ・図６Ｈに示すように、減速変位部材９０が作用状態にある状態（正確には基本状態と作用状態との間の所定の中間の状態（図６Ｅ，図６Ｆ，図６Ｉ参照）も含まれる）では、表示部９８は、遊技者によって視認される。すなわち、表示部９８は視認位置に位置する。
【００５０】
次に、このパチンコ機の作用及び効果について、図６Ａ〜図６Ｊ等に基づいて説明する。
遊技盤１０（図１参照）上を転動したパチンコ球Ｂ（遊技球）が左側の誘導路入口部４１（図２）に流入した場合を説明する。なお、このセンター役物２０は左右対称の構造を有しているため、右側の誘導路入口部４１に流入した場合も同様である。
【００５１】
誘導路入口部４１（図２）を通って上側誘導路５１（誘導路５５）（図６Ａ）内に流入したパチンコ球Ｂは、図６Ａ→図６Ｂに示すように、上側誘導路５１を流下する。そして、図６Ｂ→図６Ｃに示すように、流入孔部７５を通って奥側誘導路５２に流入する。
【００５２】
図６Ｃ→図６Ｄ（→図６Ｅ）に示すように、そのパチンコ球Ｂは、奥側誘導路５２を流下（落下）し、基本状態にある減速変位部材９０の球受け部９４に到る。
球受け部９４によってパチンコ球Ｂが受容され、（図６Ｄ→）図６Ｅ→図６Ｆ→図６Ｇに示すように、パチンコ球Ｂの重量によって球受け部９４等が下降し、減速変位部材９０は、作用状態に向かって回動変位する。
【００５３】
減速変位部材９０が作用状態になった状態（図６Ｇ）で、図６Ｇ→図６Ｈに示すように、球受け部９４上のパチンコ球Ｂは、移流案内部９５に沿って手前側に流下し、移流孔部７６を通って手前側誘導路５３内に移流し、移流案内部９５から落下する。
【００５４】
そして、その後、図６Ｈ→図６Ｉ→図６Ｊに示すように、そのパチンコ球Ｂは、手前側誘導路５３内を流下（落下）し、ステージ部４６（図３（ａ）も参照）に到る。また、減速変位部材９０は基本状態に戻る。
【００５５】
上述のように、奥側誘導路５２内を落下するパチンコ球Ｂが減速変位部材９０の球受け部９４に受容され、減速変位部材９０が回動変位する（（図６Ｄ→）図６Ｅ→図６Ｆ→図６Ｇ）ことによって、その分、そのパチンコ球Ｂの下降速度が減少する（運動エネルギーが減少する）。
こうして、パチンコ球Ｂがステージ部４６に到った際に、そのパチンコ球Ｂによってステージ部４６に対して加えられる衝撃が緩和される。
【００５６】
また、上述のように、減速変位部材９０が基本状態から作用状態に変位してパチンコ球Ｂの下降速度が減速される際において、図６Ｄ→図６Ｅ→図６Ｆ→図６Ｇ・図６Ｈに示すように、それまで正面から視認されなかった（又はほぼ視認されなかった）減速変位部材９０の表示部９８が回動用軸部６２を中心に回動して上昇して、正面から視認される状態となる。すなわち、表示部９８は、非視認位置から視認位置に変位する。
また、逆に、図６Ｉ→図６Ｊに示すように、減速変位部材９０（移流案内部９５）からのパチンコ球Ｂの流下後に減速変位部材９０が基本状態に戻ることによって、表示部９８が正面から視認されない（又はほぼ視認されない）状態に戻る。すなわち、表示部９８は視認位置から非視認位置に戻る。
【００５７】
このように、このパチンコ機では、それまで視認されなかった表示部９８が視認される状態となることによって、パチンコ球Ｂが誘導路５５内を流下していることが遊技者によって認識される。そして、誘導路５５内をパチンコ球Ｂが流下しているということはパチンコ球Ｂがステージ部４６に到り、ステージ部４６上を転動した後に始動入賞口１７に入賞する可能性が生ずることが期待されることになる。
このように、このパチンコ機（センター役物２０の誘導路５５）では、遊技者が特別な利益を受ける可能性と関連して、それまで視認されなかった表示部９８が視認されることとなり、遊技者には大きな興趣が与えられる。
【００５８】
なお、上記のものはあくまで本発明の一実施形態にすぎず、当業者の知識に基づいて種々の変更を加えた態様で本発明を実施できることはもちろんである。
【００５９】
例えば、上記の実施形態では、センター役物２０が左右対称の構造を有し、左右に一対の誘導路５５が形成され各誘導路５５に減速変位部材９０が配設されているが、センター役物（２０）は左右対称の構造でなくてもよく、誘導路（５５）は左右のいずれか一方のみに形成されていてもよい。また、誘導路（５５）は左右に一対に形成され、減速変位部材（９０）は左右のいずれか一方の誘導路（５５）にのみ配設されていてもよい。
【図面の簡単な説明】
【００６０】
【図１】本発明の一実施形態のパチンコ機の正面図である。減速変位部材は基本状態にある。
【図２】本発明の一実施形態のパチンコ機のセンター役物を示す正面図である。減速変位部材は基本状態にある。
【図３】本発明の一実施形態のパチンコ機のセンター役物を示す斜視図である。（ａ）は減速変位部材が基本状態にある状態を示し、（ｂ）は減速変位部材が作用状態にある状態を示す。
【図４】本発明の一実施形態のパチンコ機のセンター役物を示す分解斜視図である。
【図５】本発明の一実施形態のパチンコ機のセンター役物の誘導路形成部材群を示す分解斜視図である。
【図６Ａ】本発明の一実施形態のパチンコ機（センター役物の誘導路）の作用を説明する図である。（ａ）は、誘導路形成部材群を取り出して示す斜視図である（すなわち、上側部材，ステージ部形成部材等は図示されていない）。（ｂ）は、センター役物のうちの誘導路形成部材群の部分を奥行方向に延びる鉛直平面で仮想的に切断した縦断面図であり、（ｃ）は、同じく幅方向に延びる鉛直平面で仮想的に切断した縦断面図である。これらのことは、図６Ｂ〜図６Ｊにおいても同様である。  図６Ａ〜図６Ｄ，図６Ｊにおいて、減速変位部材は基本状態にある。
【図６Ｂ】本発明の一実施形態のパチンコ機（センター役物の誘導路）の作用を説明する図である。図６Ａの次の段階を示す。
【図６Ｃ】本発明の一実施形態のパチンコ機（センター役物の誘導路）の作用を説明する図である。図６Ｂの次の段階を示す。
【図６Ｄ】本発明の一実施形態のパチンコ機（センター役物の誘導路）の作用を説明する図である。図６Ｃの次の段階を示す。
【図６Ｅ】本発明の一実施形態のパチンコ機（センター役物の誘導路）の作用を説明する図である。図６Ｄの次の段階を示す。
【図６Ｆ】本発明の一実施形態のパチンコ機（センター役物の誘導路）の作用を説明する図である。図６Ｅの次の段階を示す。
【図６Ｇ】本発明の一実施形態のパチンコ機（センター役物の誘導路）の作用を説明する図である。図６Ｆの次の段階を示す。  図６Ｇ及び図６Ｈにおいて、減速変位部材は作用状態にある。
【図６Ｈ】本発明の一実施形態のパチンコ機（センター役物の誘導路）の作用を説明する図である。図６Ｇの次の段階を示す。
【図６Ｉ】本発明の一実施形態のパチンコ機（センター役物の誘導路）の作用を説明する図である。図６Ｈの次の段階を示す。
【図６Ｊ】本発明の一実施形態のパチンコ機（センター役物の誘導路）の作用を説明する図である。図６Ｉの次の段階を示す。
【符号の説明】
【００６１】
２０  センター役物（役物）
４６  ステージ部
５２  奥側誘導路（上流側誘導路）
５３  手前側誘導路（下流側誘導路）
５５  誘導路
９０  減速変位部材（減速機構，変位部材）
９８  表示部
Ｂ  パチンコ球（遊技球）
【図１】
2005312677.tif 000003
【図２】
2005312677.tif 000004
【図３】
2005312677.tif 000005
【図４】
2005312677.tif 000006
【図５】
2005312677.tif 000007
【図６Ａ】
2005312677.tif 000008
【図６Ｂ】
2005312677.tif 000009
【図６Ｃ】
2005312677.tif 000010
【図６Ｄ】
2005312677.tif 000011
【図６Ｅ】
2005312677.tif 000012
【図６Ｆ】
2005312677.tif 000013
【図６Ｇ】
2005312677.tif 000014
【図６Ｈ】
2005312677.tif 000015
【図６Ｉ】
2005312677.tif 000016
【図６Ｊ】
2005312677.tif 000017